(57)【要約】【課題】伝送路で画像信号にノイズが重畳された場合でも画像信号のフォーマットを正しく検出することができる表示装置を提供する。【解決手段】クロック信号と第１信号とを伝送する第１リンクと、第１リンクと共通のクロック信号を用いて第２信号を伝送する第２リンクと、により伝送される画像信号を受信する受信手段と、第１リンクで伝送される画像信号に基づき画像を表示する第１表示モードと、第１リンク及び第２リンクの両方で伝送される画像信号に基づき画像を表示する第２表示モードとを有する表示手段と、受信手段により受信した信号に第２リンクで伝送される信号があるか判定し、あると判定された場合に、前記第２リンクで伝送される信号が画像信号であるか判定し、画像信号であると判定された場合、第２表示モードで画像表示し、画像信号でないと判定された場合、第１表示モードで画像表示する。【選択図】図１
2017044998.tif 000002
【特許請求の範囲】
【請求項１】
クロック信号と第１信号とを伝送する第１リンクと、前記第１リンクと共通のクロック信号を用いて第２信号を伝送する第２リンクと、により伝送される画像信号を受信する受信手段と、
前記第１リンクで伝送される画像信号に基づき画像を表示する第１表示モードと、前記第１リンク及び前記第２リンクの両方で伝送される画像信号に基づき画像を表示する第２表示モードとを有する表示手段と、
前記受信手段により受信した信号に前記第２リンクで伝送される信号があるか判定する第１判定手段と、
前記第１判定手段により前記第２リンクで伝送される信号があると判定された場合に、前記第２リンクで伝送される信号が画像信号であるか判定する第２判定手段と、
前記第２判定手段により前記第２リンクで伝送される信号が画像信号であると判定された場合、前記表示手段に前記第２表示モードで画像を表示させ、前記第２リンクにより伝送される信号が画像信号でないと判定された場合、前記表示手段に前記第１表示モードで画像を表示させるよう制御する制御手段と
を有する表示装置。
【請求項２】
前記第１判定手段は、前記受信手段により所定時間にわたって連続的に第２リンクで伝送される信号が受信された場合に、第２リンクで伝送される信号があると判定する請求項１に記載の表示装置。
【請求項３】
前記制御手段は、前記第１判定手段により前記第２リンクで伝送される信号が無いと判定された場合、前記表示手段に前記第１表示モードで表示させるよう制御する請求項１又は２に記載の表示装置。
【請求項４】
前記第１リンクで画像信号を伝送する場合のクロック信号の周波数は伝送する画像信号のピクセルクロック周波数と同じであり、前記第１リンク及び前記第２リンクの両方で画像信号を伝送する場合のクロック信号の周波数は伝送する画像信号のピクセルクロック周波数の１／２であり、
前記クロック信号の周波数を取得する第１取得手段をさらに有し、
前記第２判定手段は、前記第１取得手段により取得したクロック信号の周波数が、前記受信手段が受信可能な画像信号のピクセルクロック周波数の最大値の１／２より小さい場合、前記第２リンクで伝送される信号は画像信号であると判定する請求項１〜３のいずれか１項に記載の表示装置。
【請求項５】
前記第１リンクで画像信号を伝送する場合のクロック信号の周波数は伝送する画像信号のピクセルクロック周波数と同じであり、前記第１リンク及び前記第２リンクの両方で画像信号を伝送する場合のクロック信号の周波数は伝送する画像信号のピクセルクロック周波数の１／２であり、前記第１リンクで画像信号を伝送する場合のクロック信号の周波数には上限値があり、伝送する画像信号のピクセルクロック周波数が前記上限値に達しない場合は第１リンクで画像信号を伝送するよう規定されており、
前記クロック信号の周波数を取得する第１取得手段をさらに有し、
前記第２判定手段は、前記第１取得手段により取得したクロック信号の周波数が、前記第１リンクで画像信号を伝送する場合のクロック信号の周波数の上限値の１／２より大きい場合、前記第２リンクで伝送される信号は画像信号であると判定する請求項１〜４のいずれか１項に記載の表示装置。
【請求項６】
前記第２リンクで伝送される信号が画像信号であると仮定した場合の前記第１リンク及び前記第２リンクの両方で伝送される画像信号の水平解像度と垂直解像度を取得する第２
取得手段をさらに有し、
前記第２判定手段は、前記第２取得手段により取得した水平解像度と垂直解像度との比が閾値以下である場合、前記第２リンクで伝送される信号は画像信号であると判定する請求項１〜５のいずれか１項に記載の表示装置。
【請求項７】
前記閾値は、前記表示手段が表示可能な画像信号の水平解像度と垂直解像度の情報に基づき設定される請求項６に記載の表示装置。
【請求項８】
前記第２リンクで伝送される信号が画像信号であると仮定した場合の前記第１リンク及び前記第２リンクの両方で伝送される画像信号のパラメータの値を取得する第３取得手段と、
前記表示手段が表示可能な画像信号のパラメータの値の情報を記憶する記憶手段と、
をさらに有し、
前記第２判定手段は、前記記憶手段に記憶された画像信号のパラメータの値と、前記第３取得手段により取得した画像信号のパラメータの値とが合致する場合に、前記第２リンクで伝送される信号は画像信号であると判定する請求項１〜７のいずれか１項に記載の表示装置。
【請求項９】
前記第１リンクで伝送される画像信号のパラメータの値と、前記第２リンクで伝送される信号が画像信号であると仮定した場合の前記画像信号のパラメータの値と、を取得する第４取得手段をさらに有し、
前記第２判定手段は、前記第４取得手段により取得した前記第１リンクで伝送される画像信号のパラメータの値と前記第２リンクで伝送される信号が画像信号であると仮定した場合の前記画像信号のパラメータの値との差異が閾値以下である場合に、前記第２リンクで伝送される信号は画像信号であると判定する請求項１〜８のいずれか１項に記載の表示装置。
【請求項１０】
前記パラメータは、垂直解像度、水平解像度、画像有効期間、及びピクセルクロック周波数の少なくともいずれかを含む請求項８又は９に記載の表示装置。
【請求項１１】
クロック信号と第１信号とを伝送する第１リンクと、前記第１リンクと共通のクロック信号を用いて第２信号を伝送する第２リンクと、により伝送される画像信号を受信する受信手段と、
前記第１リンクで伝送される画像信号に基づき画像を表示する第１表示モードと、前記第１リンク及び前記第２リンクの両方で伝送される画像信号に基づき画像を表示する第２表示モードとを有する表示手段と、
を有する表示装置の制御方法であって、
前記受信手段により受信した信号に前記第２リンクで伝送される信号があるか判定する第１判定ステップと、
前記第１判定ステップにより前記第２リンクで伝送される信号があると判定された場合に、前記第２リンクで伝送される信号が画像信号であるか判定する第２判定ステップと、
前記第２判定ステップにより、前記第２リンクで伝送される信号が画像信号であると判定された場合、前記表示手段に前記第２表示モードで画像を表示させ、前記第２リンクにより伝送される信号が画像信号でないと判定された場合、前記表示手段に前記第１表示モードで画像を表示させるよう制御する制御ステップと
を有する制御方法。
【請求項１２】
コンピュータを、
クロック信号と第１信号とを伝送する第１リンクと、前記第１リンクと共通のクロック信号を用いて第２信号を伝送する第２リンクと、により伝送される画像信号を受信する受
信手段と、
前記第１リンクで伝送される画像信号に基づき画像を表示する第１表示モードと、前記第１リンク及び前記第２リンクの両方で伝送される画像信号に基づき画像を表示する第２表示モードとを有する表示手段と、
前記受信手段により受信した信号に前記第２リンクで伝送される信号があるか判定する第１判定手段と、
前記第１判定手段により前記第２リンクで伝送される信号があると判定された場合に、前記第２リンクで伝送される信号が画像信号であるか判定する第２判定手段と、
前記第２判定手段により前記第２リンクで伝送される信号が画像信号であると判定された場合、前記表示手段に前記第２表示モードで画像を表示させ、前記第２リンクにより伝送される信号が画像信号でないと判定された場合、前記表示手段に前記第１表示モードで画像を表示させるよう制御する制御手段
として機能させるためのプログラム。
【発明の詳細な説明】
【技術分野】
【０００１】
本発明は、表示装置及びその制御方法に関する。
【背景技術】
【０００２】
液晶ディスプレイ等の表示装置は、入力画像信号の水平同期信号及び垂直同期信号に基づき入力画像信号のフォーマットを決定する。特許文献１には、入力画像信号の解像度の決定を容易にする技術が開示されている。デジタル画像信号は波形の振幅が小さいため、伝送距離がアナログ画像信号より短い。特許文献２には伝送時に劣化したデジタル画像信号を補正する回路を有しないプロジェクタ等の画像表示装置において、デジタル信号の長距離伝送を良好に行えるデジタル信号伝送ケーブル及びデジタルビデオ表示システムが開示されている。
【先行技術文献】
【特許文献】
【０００３】
【特許文献１】特開２０１１−１４１３２０号公報
【特許文献２】特開２００６−２９３８５７号公報
【発明の概要】
【発明が解決しようとする課題】
【０００４】
ＰＣ（Ｐｅｒｓｏｎａｌ  Ｃｏｍｐｕｔｅｒ）等の画像信号源と表示装置とをケーブルで接続する際に、ＰＣと表示装置の間に中継装置を挟むことがある。中継装置は、画像信号を複数の出力先に分配する分配器、又は、ケーブルを延長する延長器を含む。画像信号が中継装置を通過する際にノイズが乗ってしまう場合がある。表示装置がノイズが乗った画像信号を受信した場合、画像信号のフォーマットを判定を正しく行えない可能性がある。
そこで、本発明は、伝送路で画像信号にノイズが重畳された場合でも、表示装置に入力された画像信号のフォーマットを検出することができるようにすることを目的とする。
【課題を解決するための手段】
【０００５】
上記目的を実現するために、本発明に係る表示装置は、クロック信号と第１信号とを伝送する第１リンクと、前記第１リンクと共通のクロック信号を用いて第２信号を伝送する第２リンクと、により伝送される画像信号を受信する受信手段と、前記第１リンクで伝送される画像信号に基づき画像を表示する第１表示モードと、前記第１リンク及び前記第２リンクの両方で伝送される画像信号に基づき画像を表示する第２表示モードとを有する表示手段と、前記受信手段により受信した信号に前記第２リンクで伝送される信号があるか判定する第１判定手段と、前記第１判定手段により前記第２リンクで伝送される信号があると判定された場合に、前記第２リンクで伝送される信号が画像信号であるか判定する第２判定手段と、前記第２判定手段により前記第２リンクで伝送される信号が画像信号であると判定された場合、前記表示手段に前記第２表示モードで画像を表示させ、前記第２リンクにより伝送される信号が画像信号でないと判定された場合、前記表示手段に前記第１表示モードで画像を表示させるよう制御する制御手段とを有する。
【０００６】
上記目的を実現するために、本発明に係る制御方法は、クロック信号と第１信号とを伝送する第１リンクと、前記第１リンクと共通のクロック信号を用いて第２信号を伝送する第２リンクと、により伝送される画像信号を受信する受信手段と、前記第１リンクで伝送される画像信号に基づき画像を表示する第１表示モードと、前記第１リンク及び前記第２リンクの両方で伝送される画像信号に基づき画像を表示する第２表示モードとを有する表
示手段と、を有する表示装置の制御方法であって、前記受信手段により受信した信号に前記第２リンクで伝送される信号があるか判定する第１判定ステップと、前記第１判定ステップにより前記第２リンクで伝送される信号があると判定された場合に、前記第２リンクで伝送される信号が画像信号であるか判定する第２判定ステップと、前記第２判定ステップにより、前記第２リンクで伝送される信号が画像信号であると判定された場合、前記表示手段に前記第２表示モードで画像を表示させ、前記第２リンクにより伝送される信号が画像信号でないと判定された場合、前記表示手段に前記第１表示モードで画像を表示させるよう制御する制御ステップとを有する。
【発明の効果】
【０００７】
本発明によれば、伝送路で画像信号にノイズが重畳された場合でも、表示装置に入力された画像信号のフォーマットを検出することができる。
【図面の簡単な説明】
【０００８】
【図１】表示装置１００が有する複数の構成要素を説明するための図である。
【図２】表示装置１００で行われる処理を説明するためのフローチャートである。
【図３Ａ】Ｓｉｎｇｌｅ  Ｌｉｎｋ  ＤＶＩ／ＨＤＭＩを説明するための図である。
【図３Ｂ】Ｄｕａｌ  Ｌｉｎｋ  ＤＶＩを説明するための図である。
【図４】表示装置１００、外部装置３００及び中継装置４００の接続例を示す図である。
【図５Ａ】ＴＭＤＳ波形を説明するための図である。
【図５Ｂ】ＴＭＤＳ波形を説明するための図である。
【図５Ｃ】ＴＭＤＳ波形を説明するための図である。
【図５Ｄ】ＴＭＤＳ波形を説明するための図である。
【図６】実施形態１のフローチャートである。
【図７】実施形態２のフローチャートである。
【図８Ａ】Ｍａｓｔｅｒ  Ｌｉｎｋ受信部がＤＥ測定回路が搭載されている例を説明するための図である。
【図８Ｂ】Ｍａｓｔｅｒ  Ｌｉｎｋ受信部とＳｌａｖｅ  Ｌｉｎｋ受信部の両方にＤＥ測定回路が搭載されている例を説明するための図である。
【図９】実施形態３のフローチャートである。
【発明を実施するための形態】
【０００９】
以下、図面を参照して本発明の実施形態を説明するが、この発明は以下の実施形態に限定されるものではない。
【００１０】
［実施形態１］
図１は、実施形態１における表示装置１００が有する複数の構成要素を説明するための図である。
実施形態１では、表示装置１００が、例えば、プロジェクタとして動作する場合を説明するが、表示装置１００はプロジェクタに限るものではない。例えば、表示装置１００がプロジェクタとして動作する場合、表示装置１００は、入力画像信号に応じて液晶素子の光の透過率を制御することができる。これにより、表示装置１００は、入力画像信号から生成された画像（静止画像又は動画像）をスクリーンに表示することができる。表示装置１００がプロジェクタとして動作する場合、表示装置１００は、単板式のプロジェクタとして構成することも、３板式のプロジェクタとして構成することも可能である。表示装置１００がプロジェクタとして動作する場合、表示装置１００は、液晶表示器を有するプロジェクタとして構成することも、有機ＥＬ（Ｅｌｅｃｔｒｏ  Ｌｕｍｉｎｅｓｃｅｎｃｅ）表示器を有するプロジェクタとして構成することも可能である。表示装置１００がプロジェクタとして動作する場合、表示装置１００は、ＭＥＭＳ（Ｍｉｃｒｏ  Ｅｌｅｃｔｒ
ｏ  Ｍｅｃｈａｎｉｃａｌ  Ｓｙｓｔｅｍｓ）シャッターを有するプロジェクタとして構成することも可能である。
【００１１】
図１に示すように、表示装置１００は、ＣＰＵ１１０、第１のメモリ１１１、第２のメモリ１１２、操作部１１３、画像入力部１３０、画像処理部１４０を有する。また、表示装置１００は、さらに、液晶制御部１５０、液晶素子１５１Ｒ、１５１Ｇ、１５１Ｂ、光源制御部１６０、光源１６１、色分離部１６２、色合成部１６３、光学系制御部１７０、投影光学系１７１、内部バス１９９を有する。また、表示装置１００は、さらに、記録再生部１９１、記録媒体１９２、通信部１９３、撮像部１９４、表示制御部１９５、表示部１９６を有していてもよい。
【００１２】
ＣＰＵ１１０は、表示装置１００に含まれる各構成要素を制御する。第１のメモリ１１１は、ＣＰＵ１１０で実行される複数のプログラムを記憶したメモリである。第２のメモリ１１２は、ワークメモリとして一時的にプログラム及びデータを格納するためのメモリである。
【００１３】
ＣＰＵ１１０は、記録再生部１９１が記録媒体１９２から再生した画像データ（静止画像データまたは動画像データ）がスクリーンに表示されるように表示装置１００を制御することができる。ＣＰＵ１１０は、通信部１９３によって受信された画像データ（静止画像データまたは動画像データ）がスクリーンに表示されるように表示装置１００を制御することができる。ＣＰＵ１１０は、撮像部１９４によって生成された画像データ（静止画像データまたは動画像データ）が記録媒体１９２に記録されるように表示装置１００を制御することができる。ＣＰＵ１１０は、通信部１９３によって受信された画像データ（静止画像データまたは動画像データ）が記録媒体１９２に記録されるように表示装置１００を制御することができる。
【００１４】
操作部１１３は、ユーザからの指示を受け付け、ユーザの指示に対応する指示信号をＣＰＵ１１０に送信する。操作部１１３は、例えば、スイッチ、ボタン、ダイヤル、表示部１９６上に設けられたタッチパネル等の指示入力手段を有する。操作部１１３は、ユーザに視認されやすいように指示入力手段の一部又は全部を照明するＬＥＤ（Ｌｉｇｈｔ  Ｅｍｉｔｔｉｎｇ  Ｄｉｏｄｅ）等を有していてもよい。操作部１１３は、リモートコントローラからの赤外線等による信号を受信し、受信した信号に基づいて所定の指示信号をＣＰＵ１１０に送信してもよい。操作部１１３又はリモートコントローラから入力された指示信号に基づき、ＣＰＵ１１０が表示装置１００に含まれる各構成要素を制御する。
【００１５】
画像入力部１３０は、外部装置から画像信号を受信する。実施形態１では、画像入力部１３０は、ＤＶＩ（Ｄｉｇｉｔａｌ  Ｖｉｓｕａｌ  Ｉｎｔｅｒｆａｃｅ）により伝送される画像信号を受信する。ＤＶＩは、外部装置から出力されるパラレルのデジタル信号を規定のエンコード方式でシリアライズして伝送する規格である。表示装置１００が液晶プロジェクタである場合、表示装置１００は、受信したシリアルのデジタル画像信号をパラレルのデジタル画像信号に変換し、デジタル値に応じて液晶素子に加える電圧を変化させることで、表示を行う。デジタル画像信号のエンコード方式として、ＤＶＩはＴＭＤＳ（Ｔｒａｎｓｉｔｉｏｎ−ｍｉｎｉｍｉｚｅｄ  ｄｉｆｆｅｒｅｎｔｉａｌ  ｓｉｇｎａｌｉｎｇ）を採用している。エンコード方式には他に、ＬＶＤＳ（Ｌｏｗ  Ｖｏｌｔａｇｅ
Ｄｉｆｆｅｒｅｎｔｉａｌ  Ｓｉｇｎａｌｉｎｇ）、ＤＰ（Ｄｉｓｐｌａｙ  Ｐｏｒｔ）等がある。ＤＶＩは画像伝送のプロトコルにＴＭＤＳを採用している。ＤＶＩによる画像伝送は、クロック信号と第１信号とを伝送する第１リンクと、前記第１リンクと共通のクロック信号を用いて第２信号を伝送する第２リンクと、により行われる。第１リンクのみで画像信号を伝送する場合のクロック信号の周波数は伝送する画像信号のピクセルクロック周波数と同じである。第１リンク及び第２リンクの両方で画像信号を伝送する場合の
クロック信号の周波数は伝送する画像信号のピクセルクロック周波数の１／２である。第１リンクのみで画像信号を伝送する場合のクロック信号の周波数には上限値がある（例えば、１６５ＭＨｚ）。伝送する画像信号のピクセルクロック周波数が上限値に達しない場合は、第１リンクのみで画像信号を伝送するよう規定されている。
【００１６】
例えば、ＤＶＩによる画像伝送は、Ｓｉｎｇｌｅ  Ｌｉｎｋ  ＤＶＩ、Ｄｕａｌ  Ｌｉｎｋ  ＤＶＩの２種類が存在する。
Ｓｉｎｇｌｅ  Ｌｉｎｋ  ＤＶＩは、図３Ａに示すように、ＴＭＤＳ  Ｄａｔａ  Ｃｈａｎｎｅｌが３ペア（以下、Ｄａｔａ  Ｃｈ＃０／Ｃｈ＃１／Ｃｈ＃２をＭａｓｔｅｒ  Ｌｉｎｋと呼ぶ）、ＴＭＤＳ  Ｃｌｏｃｋが１ペアの差動信号である。ＴＭＤＳ  Ｃｌｏｃｋは伝送する画像信号のＰｉｘｅｌ  Ｃｌｏｃｋと同じ周波数である。
Ｄｕａｌ  Ｌｉｎｋ  ＤＶＩは、図３Ｂに示すように、ＴＭＤＳ  Ｄａｔａ  Ｃｈａｎｅｌが６ペア（Ｄａｔａ  Ｃｈ＃０／Ｃｈ＃１／Ｃｈ＃２／Ｃｈ＃３／Ｃｈ＃４／Ｃｈ＃５。以下、Ｄａｔａ  Ｃｈ＃３／Ｃｈ＃４／Ｃｈ＃５をＳｌａｖｅ  Ｌｉｎｋと呼ぶ）、ＴＭＤＳ  Ｃｌｏｃｋが１ペアの差動信号である。Ｄｕａｌ  Ｌｉｎｋ  ＤＶＩは画像データをＭａｓｔｅｒ  ＬｉｎｋとＳｌａｖｅ  Ｌｉｎｋの２相で伝送することで、ＴＭＤＳ  Ｃｌｏｃｋを伝送する画像信号のＰｉｘｅｌ  Ｃｌｏｃｋの半分の周波数とすることができる。
【００１７】
画像入力部１３０は、ＤＶＩ−Ｉ端子、ＤＶＩ−Ｄ端子、コンポジット端子、Ｓ画像端子、Ｄ端子、コンポーネント端子、アナログＲＧＢ端子、ＨＤＭＩ（登録商標）端子、ＤｉｓｐｌａｙＰｏｒｔ（登録商標）等を有する。画像入力部１３０は、アナログ画像信号を受信した場合には、受信したアナログ画像信号をデジタル画像信号に変換する。画像入力部１３０は、受信した画像信号を、画像処理部１４０に送信する。画像入力部１３０に画像信号を供給する外部装置は、画像信号を出力する装置であれば、どのような種類の装置であってもよい。ＰＣ、カメラ、携帯電話、スマートフォン、ハードディスクレコーダ、ゲーム機等は、外部装置の一例である。
【００１８】
画像入力部１３０は、入力信号の有無を判定する機能と、入力された画像信号の画像パラメータを測定する機能とを有する。画像パラメータには、水平周波数、垂直周波数、水平解像度、垂直解像度、ＰｉｘｅｌＣｌｏｃｋ等の信号パラメータや、ＨＤＭＩやＤｉｓｐｌｙＰｏｒｔ等におけるＡＶＩ  Ｉｎｆｏｆｒａｍｅ等の各種パケットが含まれる。ＤＶＩ−Ｄ信号やＨＤＭＩ、ＤｉｓｐｌａｙＰｏｒｔ等の画像信号がシリアライズされて伝送されるため、画像入力部１３０は各種画像信号に対応した受信部を有している。受信部は、受信したデータをシリパラ変換（Ｈ／Ｖ／ＤＥ／Ｒデータ／Ｇデータ／Ｂデータにパラレル分解）する。例えば、ＤＶＩ−ＤのＳｉｎｇｌｅ  Ｌｉｎｋ  ＤＶＩ又はＨＤＭＩである場合、ＴＭＤＳ信号のＤａｔａ  Ｃｈ＃０にＨ／Ｖ信号が伝送され、Ｄａｔａ  Ｃｈ＃０／Ｃｈ＃１／Ｃｈ＃２にＤＥ信号がシリアライズされて伝送される。画像入力部１３０内の受信部は、受信したデータをシリパラ変換し、Ｈ／Ｖ信号を測定することで水平周波数及び垂直周波数を得る。また、画像入力部１３０内の受信部は、ＤＥ信号を測定することで水平解像度及び垂直解像度を得る。
【００１９】
ＤＶＩ−ＤのＤｕａｌ  Ｌｉｎｋ  ＤＶＩである場合、ＴＭＤＳ信号のＤａｔａ  Ｃｈ＃０にＨ／Ｖ信号が伝送され、Ｄａｔａ  Ｃｈ＃０／Ｃｈ＃１／Ｃｈ＃２／Ｃｈ＃３／Ｃｈ＃４／Ｃｈ＃５にＤＥ信号が伝送される。画像入力部１３０は、Ｍａｓｔｅｒ  Ｌｉｎｋ受信部とＳｌａｖｅ  Ｌｉｎｋ受信部を有し、Ｍａｓｔｅｒ  Ｌｉｎｋ受信部が受信したＨ／Ｖ信号を測定することで水平周波数及び垂直周波数を得る。また、画像入力部１３０は、ＤＥ信号を測定することで水平解像度及び垂直解像度を得る。なお、ＤＥ信号はＭａｓｔｅｒ  Ｌｉｎｋ、Ｓｌａｖｅ  Ｌｉｎｋの全てのＤａｔａ  Ｃｈａｎｎｅｌに伝送されており、Ｍａｓｔｅｒ  Ｌｉｎｋ受信部から得られる水平解像度を２倍した値をＤｕ
ａｌ  Ｌｉｎｋ  ＤＶＩが受信した解像度としてもよい。また、Ｍａｓｔｅｒ  Ｌｉｎｋ受信部が測定した水平解像度とＳｌａｖｅ  Ｌｉｎｋ受信部が測定した水平解像度を足し合わせた値を水平解像度としてもよい。垂直解像度に関してはＳｉｎｇｌｅ  Ｌｉｎｋ  ＤＶＩ又はＨＤＭＩである場合と同じ測定方法である。実施形態１では、図８Ａに示すように、水平解像度及び垂直解像度を測定するＤＥ測定回路がＭａｓｔｅｒ  Ｌｉｎｋ受信部に搭載され、Ｓｌａｖｅ  Ｌｉｎｋ受信部に搭載されていないものとする。
【００２０】
画像入力部１３０が画像信号の入力の有無を検知する方法には、画像信号の種類に応じて多様な方法がある。例えば、入力信号がアナログ画像信号である場合、画像入力部１３０は、入力信号のＨｓｙｎｃ／Ｖｓｙｎｃが安定しているか判定することで信号の有無を判定することができる。入力信号がＤＶＩ−Ｄ信号又はＨＤＭＩ信号である場合、画像入力部１３０は、画像伝送に用いられるＴＭＤＳ  Ｃｌｏｃｋの有無やシリアライズされて伝送されたＴＭＤＳ信号の各Ｄａｔａ  Ｃｈａｎｎｅｌの信号をシリパラ変換する。そして、画像入力部１３０は、Ｈｓｙｎｃ／Ｖｓｙｎｃの安定性を判定することで信号の有無を判定することができる。
【００２１】
ＤＶＩ−Ｄ信号において、Ｓｉｎｇｌｅ  Ｌｉｎｋ  ＤＶＩとＤｕａｌ  Ｌｉｎｋ  ＤＩＶとの判定方法としては、Ｍａｓｔｅｒ  ＬｉｎｋのＴＭＤＳ信号の状態とＳｌａｖｅ
ＬｉｎｋのＴＭＤＳ信号の状態を判定する方法がある。画像入力部１３０は、Ｄａｔａ
Ｃｈ＃０〜＃２の信号が所定時間以上Ｌｏｗレベルを維持していない場合はＭａｓｔｅｒ  ＬｉｎｋのＴＭＤＳ信号があると判定する。画像入力部１３０は、Ｄａｔａ  Ｃｈ＃３〜＃５の信号が所定時間以上Ｌｏｗレベルを維持していない場合はＳｌａｖｅ  ＬｉｎｋのＴＭＤＳ信号があると判定する。例えば、図５Ａの例では、ＴＭＤＳ信号のＤａｔａ
Ｃｈ＃０〜＃５が所定時間以上Ｌｏｗレベルを維持していないので、画像入力部１３０は、Ｍａｓｔｅｒ  ＬｉｎｋのＴＭＤＳ信号とＳｌａｖｅ  ＬｉｎｋのＴＭＤＳ信号の両方があると判定する。そして、画像入力部１３０は、画像入力部１３０に入力された信号はＤｕａｌ  Ｌｉｎｋ  ＤＶＩであると判定する。図５Ｂの例では、Ｄａｔａ  Ｃｈ＃０〜＃２が所定時間以上Ｌｏｗレベルを維持しておらず、Ｄａｔａ  Ｃｈ＃３〜＃５が所定時間以上Ｌｏｗレベルを維持している。そのため、画像入力部１３０は、Ｍａｓｔｅｒ  ＬｉｎｋのＴＭＤＳ信号があり、Ｓｌａｖｅ  ＬｉｎｋのＴＭＤＳ信号がないと判定する。そして、画像入力部１３０は、画像入力部１３０に入力された信号はＳｉｎｇｌｅ  Ｌｉｎｋ  ＤＶＩであると判定する。このように、画像入力部１３０が、入力信号の有無を判定する機能と、Ｍａｓｔｅｒ  ＬｉｎｋのＴＭＤＳ信号が入力されているか否かを判定する機能と、Ｓｌａｖｅ  ＬｉｎｋのＴＭＤＳが入力されているか否かを判定する機能とを有するものとする。
【００２２】
フォーマットテーブル１３１は、表示装置１００に入力され得る画像信号毎に、画像信号についての様々なパラメータの値を記憶しているメモリである。表示装置１００に入力され得る画像信号は、表示装置１００で表示可能な画像信号である。画像信号のパラメータには、例えば、水平同期信号周波数（Ｈｓｙｎｃ）、垂直同期信号周波数（Ｖｓｙｎｃ）、水平解像度、垂直解像度、ピクセルクロック周波数、Ｓｉｇｎｅｌ  Ｌｉｎｋ  ＤＶＩ／Ｄｕａｌ  Ｌｉｎｋ  ＤＶＩ、ＤＶＩのクロック周波数等がある。フォーマットテーブル１３１に記憶されている画像信号のフォーマット情報は、ＣＰＵ１１０が画像入力部１３０から読み出した画像信号のパラメータに基づき画像信号の解像度等を決定するために用いられる。
【００２３】
画像処理部１４０は、画像入力部１３０から受信した画像信号にフレーム数、画素数、画像形状等を変更する画像処理を施して、液晶制御部１５０に送信する。画像処理部１４０は、画像処理用のマイクロプロセッサからなる。なお、第１のメモリ１１１に記憶されたプログラムによって、ＣＰＵ１１０が画像処理部１４０と同様の処理を実行してもよい
。画像処理部１４０は、フレーム間引き処理、フレーム補間処理、解像度変換処理、歪み補正処理（キーストン補正処理）等の画像処理を実行することが可能である。また、画像処理部１４０は、画像入力部１３０から受信した画像信号以外にも、ＣＰＵ１１０によって再生された画像に対して前述の画像処理を施す。
【００２４】
液晶制御部１５０は、画像処理部１４０で画像処理の施された画像信号に基づいて、液晶素子１５１Ｒ、１５１Ｇ、１５１Ｂに対する電圧印可を制御して、液晶素子１５１Ｒ、１５１Ｇ、１５１Ｂの透過率を調整する。液晶制御部１５０は、制御用のマイクロプロセッサからなる。液晶制御部１５０は、専用のマイクロプロセッサである必要はなく、例えば、第１のメモリ１１１に記憶されたプログラムによって、ＣＰＵ１１０が液晶制御部１５０と同様の処理を実行してもよい。画像処理部１４０から画像信号が出力されている場合、液晶制御部１５０は、画像処理部１４０から１フレームの画像を受信する度に、画像に対応する透過率となるように、液晶素子１５１Ｒ、１５１Ｇ、１５１Ｂを制御する。
【００２５】
液晶素子１５１Ｒは、赤色に対応する液晶素子である。液晶素子１５１Ｒは、光源１６１から出力されて色分離部１６２で赤色（Ｒ）、緑色（Ｇ）、青色（Ｂ）に分離された光のうち、赤色の光の透過率を調整する。
液晶素子１５１Ｇは、緑色に対応する液晶素子である。液晶素子１５１Ｇは、光源１６１から出力されて色分離部１６２で赤色（Ｒ）、緑色（Ｇ）、青色（Ｂ）に分離された光のうち、緑色の光の透過率を調整する。
液晶素子１５１Ｂは、青色に対応する液晶素子である。液晶素子１５１Ｂは、光源１６１から出力されて色分離部１６２で赤色（Ｒ）、緑色（Ｇ）、青色（Ｂ）に分離された光のうち、青色の光の透過率を調整する。
【００２６】
光源制御部１６０は、光源１６１のオン／オフの制御や光量の制御をする。光源制御部１６０は、制御用のマイクロプロセッサからなる。なお、第１のメモリ１１１に記憶されたプログラムによって、ＣＰＵ１１０が光源制御部１６０と同様の処理を実行してもよい。
光源１６１は、スクリーンに画像を投影するための光を出力する。光源１６１は、例えば、ハロゲンランプ、キセノンランプ、高圧水銀ランプ等からなる。
【００２７】
色分離部１６２は、光源１６１から出力された光を、赤色（Ｒ）、緑色（Ｇ）、青色（Ｂ）に分離する。色分離部１６２は、例えば、ダイクロイックミラーやプリズム等からなる。なお、光源１６１としてＲＧＢ各色に対応するＬＥＤ等の光源を使用する場合には、色分離部１６２は不要である。
【００２８】
色合成部１６３は、液晶素子１５１Ｒ、１５１Ｇ、１５１Ｂを透過した赤色（Ｒ）、緑色（Ｇ）、青色（Ｂ）の光を合成する。色合成部１６３は、例えば、ダイクロイックミラーやプリズム等からなる。色合成部１６３により赤色（Ｒ）、緑色（Ｇ）、青色（Ｂ）の成分を合成した光は、投影光学系１７１に送られる。色合成部１６３により合成された光が投影光学系１７１によりスクリーンに投影されると、画像処理部１４０により入力された画像に対応する画像がスクリーン上に表示される。
【００２９】
光学系制御部１７０は、投影光学系１７１を制御する。光学系制御部１７０は、制御用のマイクロプロセッサからなる。なお、第１のメモリ１１１に記憶されたプログラムによって、ＣＰＵ１１０が光学系制御部１７０と同様の処理を実行してもよい。
投影光学系１７１は、色合成部１６３から出力された合成光をスクリーンに投影する。投影光学系１７１は、複数のレンズ、レンズ駆動用のアクチュエータからなり、レンズをアクチュエータにより駆動することで、投影画像の拡大、縮小、焦点調整等を行う。
【００３０】
記録再生部１９１は、記録媒体１９２から静止画像データや動画像データを読み込む。また、記録再生部１９１は、撮像部１９４により得られた静止画像データ又は動画像データをＣＰＵ１１０から受信して記録媒体１９２に記録する。また、記録再生部１９１は、通信部１９３より受信した静止画像データ又は動画像データを記録媒体１９２に記録する。記録再生部１９１は、例えば、記録媒体１９２と電気的に接続するインターフェースと、記録媒体１９２と通信するためのマイクロプロセッサとを有する。なお、第１のメモリ１１１に記憶されたプログラムによって、ＣＰＵ１１０が記録再生部１９１と同様の処理を実行してもよい。
【００３１】
記録媒体１９２は、静止画像データ及び動画像データを記録し、表示装置１００の制御に必要なデータを記録する。記録媒体１９２は、磁気ディスク、光学式ディスク、半導体メモリ等のどのような方式の記録媒体であってもよい。記録媒体１９２は、着脱可能な記録媒体であってもよいし、内蔵型の記録媒体であってもよい。
【００３２】
通信部１９３は、外部通信装置から制御信号、静止画像データ、動画像データ等を受信する。通信部１９３は、無線ＬＡＮ、有線ＬＡＮ、ＵＳＢ、Ｂｌｕｅｔｏｏｔｈ（登録商標）等であり、どのような種類の通信方式であってもよい。また、画像入力部１３０の端子がＨＤＭＩ端子である場合、通信部１９３は、ＨＤＭＩ端子を介してＣＥＣ（Ｃｏｎｓｕｍｅｒ  Ｅｌｅｃｔｒｏｎｉｃｓ  Ｃｏｎｔｒｏｌ）通信を行う。ここで、外部通信装置は、表示装置１００と通信を行うことができる装置であれば、どのような種類の装置であってもよい。ＰＣ、カメラ、携帯電話、スマートフォン、ハードディスクレコーダ、ゲーム機、リモコン等は、外部通信装置の一例である。
【００３３】
撮像部１９４は、表示装置１００の周辺を撮像して画像データを取得する。撮像部１９４は、スクリーン方向を撮像することにより、投影光学系１７１によって投影された画像を撮像する。撮像部１９４は、得られた画像データをＣＰＵ１１０に送信する。ＣＰＵ１１０は、撮像部１９４から取得した画像データを一時的に第２のメモリ１１２に記憶し、第１のメモリ１１１に記憶されたプログラムに基づいて、静止画像データや動画像データに変換する。撮像部１９４は、被写体の光学像を取得するレンズ、レンズを駆動するアクチュエータ、アクチュエータを制御するマイクロプロセッサを含む。撮像部１９４はさらに、レンズを介して取得した光学像を画像信号に変換する撮像素子、撮像素子により得られた画像信号をデジタル信号に変換するＡＤ変換部等を含む。撮像部１９４が撮像する方向はスクリーン方向に限られず、例えば、スクリーンと逆方向にいる視聴者の方を撮像してもよい。
【００３４】
表示制御部１９５は、表示装置１００が有する表示部１９６に表示装置１００を操作するための操作画面又はアイコンを表示させる制御をする。表示制御部１９５は、表示制御を行うマイクロプロセッサ等からなる。なお、第１のメモリ１１１に記憶されたプログラムによって、ＣＰＵ１１０が表示制御部１９５と同様の処理を実行してもよい。
【００３５】
表示部１９６は、表示装置１００を操作するための操作画面やアイコン等を表示するディスプレイである。表示部１９６は、画像を表示可能な表示部であれば、液晶ディスプレイ、ＣＲＴディスプレイ、有機ＥＬディスプレイ、ＬＥＤディスプレイ等のいずれを有するものでもよい。
内部バス１９９は、表示装置１００内部で画像データや各種制御信号等を伝送するためのバスで、図１で示すように構成要素同士を接続している。
なお、画像処理部１４０、液晶制御部１５０、光源制御部１６０、光学系制御部１７０、記録再生部１９１及び表示制御部１９５は、これらの構成要素の行う全ての処理又は一部の処理を行う単数又は複数のマイクロプロセッサとして実施してもよい。
【００３６】
次に、図１、図２を用いて、表示装置１００で行われる処理を説明する。
図２は、表示装置１００で行われる処理を説明するためのフローチャートである。図２のフローチャートに示す処理は、ＣＰＵ１１０が、第１のメモリ１１１に記憶されたプログラムに基づいて、各構成要素を制御することにより実行される。操作部１１３やリモコンによりユーザが表示装置１００の電源のオンを指示すると、ＣＰＵ１１０は、電源部から表示装置１００の各構成要素に電源回路から電力を供給し、図２のフローチャートに示す処理をスタートさせる。
【００３７】
Ｓ２１０において、ＣＰＵ１１０は、ユーザによる操作部１１３やリモコンの操作により選択された表示モードを判定する。表示装置１００は、３つの表示モードを有する。「入力画像表示モード」と「ファイル再生表示モード」と「ファイル受信表示モード」である。
「入力画像表示モード」では、表示装置１００は、画像入力部１３０より入力された画像を表示する。「ファイル再生表示モード」では、表示装置１００は、記録再生部１９１により記録媒体１９２から読み出された静止画像データや動画像データに基づく画像を表示する。「ファイル受信表示モード」では、表示装置１００は、通信部１９３から受信した静止画像データや動画像データに基づく画像を表示する。
【００３８】
実施形態１では、ユーザの指示によりいずれかの表示モードが選択される場合を説明するが、実施形態１はこのような構成に限られない。例えば、前回の電源オフ時に選択されていた表示モードが自動的に選択されるようにしてもよい。或いは、例えば、所定の表示モードが自動的に選択されるようにしてもよい。いずれの場合でも、Ｓ２１０の処理は省略可能である。ここでは、Ｓ２１０で、「入力画像表示モード」が選択されたものとして説明する。
【００３９】
Ｓ２２０において、ＣＰＵ１１０は、画像入力部１３０から画像信号が入力されているか否かを判定する。画像入力部１３０は、複数の画像入力インターフェースを有する。ユーザによる画像入力インターフェースの指定がある場合、ＣＰＵ１１０は、ユーザが指定した画像入力インターフェースにおいて画像信号が入力されているか否かを判定する。画像信号が入力されていない場合（Ｓ２２０でＮｏ）、ＣＰＵ１１０は画像信号の入力が検出されるまで待機し、画像信号が入力されている場合（Ｓ２２０でＹｅｓ）、ＣＰＵ１１０はＳ２３０に進む。
【００４０】
Ｓ２３０において、ＣＰＵ１１０は、投影処理を行う。
投影処理では、ＣＰＵ１１０は、画像入力部１３０より入力された画像を画像処理部１４０に送信する。
画像処理部１４０は、ＣＰＵ１１０の制御により、画素数、フレームレート、形状変形等の画像処理を行い、画像処理した１画面分の画像を液晶制御部１５０に送信する。
液晶制御部１５０は、ＣＰＵ１１０の制御により、受信した１画面分の画像の赤色（Ｒ）、緑色（Ｇ）、青色（Ｂ）の各色成分の階調レベルに応じた透過率となるように、液晶素子１５１Ｒ、１５１Ｇ、１５１Ｂの透過率を制御する。
【００４１】
光源制御部１６０は、ＣＰＵ１１０の制御により、光源１６１からの光の出力を制御する。光源１６１から出力された光は、色分離部１６２により赤色（Ｒ）、緑色（Ｇ）、青色（Ｂ）の各色成分の光に分離され、それぞれの光は液晶素子１５１Ｒ、１５１Ｇ、１５１Ｂに供給される。
【００４２】
液晶素子１５１Ｒ、１５１Ｇ、１５１Ｂは、画素毎に、供給された各色の光の透過光量を調節する。液晶素子１５１Ｒ、１５１Ｇ、１５１Ｂを透過した赤色（Ｒ）、緑色（Ｇ）、青色（Ｂ）の各色成分の光は、色合成部１６３にて合成される。色合成部１６３で合成
された光は、投影光学系１７１によりスクリーンに投影される。
【００４３】
以上の投影処理は、画像の投影が行われている間、１フレームの画像毎に順次、繰り返し実行される。投影処理の実行中、ユーザにより投影光学系１７１の操作をする指示が操作部１１３から入力されたとする。この場合、光学系制御部１７０は、ＣＰＵ１１０の制御により、投影画像の焦点を変更したり、光学系の拡大率を変更したりするために投影光学系１７１のアクチュエータの制御を行う。
【００４４】
Ｓ２４０において、ＣＰＵ１１０は、ユーザにより表示モードを切り替え指示が操作部１１３から入力されたか否かを判定する。この判定処理は投影処理の実行中に行われる。
ユーザにより表示モードを切り替える指示が操作部１１３から入力された場合（Ｓ２４０でＹｅｓ）、ＣＰＵ１１０は、Ｓ２１０に戻り、表示モードの判定を行う。表示モードの切り替え指示が入力された場合、画像処理部１４０は、ＣＰＵ１１０の制御により、表示モードを選択させるためのメニュー画面をＯＳＤ画像を投影中の画像に合成（重畳）する。ユーザは、投影されたＯＳＤ画面を見ながら、表示モードを選択する操作を行うことができる。
一方、ユーザにより表示モードを切り替える指示が操作部１１３から入力されない場合（Ｓ２４０でＮｏ）、ＣＰＵ１１０は、Ｓ２５０に進む。
【００４５】
Ｓ２５０において、ＣＰＵ１１０は、ユーザにより投影終了の指示が操作部１１３から入力されたか否かを判定する。ユーザにより投影終了の指示が操作部１１３から入力された場合（Ｓ２５０でＹｅｓ）、ＣＰＵ１１０は、表示装置１００に含まれる各構成要素に対する電力供給を停止させ、画像投影を終了させる。一方、ユーザにより投影終了の指示が操作部１１３から入力されない場合（Ｓ２５０でＮｏ）、ＣＰＵ１１０は、Ｓ２２０へ戻る。ＣＰＵ１１０は、ユーザにより投影終了の指示が操作部１１３から入力されるまでＳ２２０からＳ２５０までの処理を繰り返す。
【００４６】
なお、Ｓ２１０において、表示モードが「ファイル再生表示モード」である場合、記録再生部１９１は、記録媒体１９２から静止画像データや動画像データのファイルリストや各ファイルのサムネイルデータを読み出し、第２のメモリ１１２に格納する。ＣＰＵ１１０は、第１のメモリ１１１に記憶されたプログラムに基づいて、第２のメモリ１１２に格納されたファイルリストに基づく文字画像や各ファイルのサムネイルデータに基づく画像を生成し、画像処理部１４０に送信する。ＣＰＵ１１０は、上述した投影処理（Ｓ２３０）と同様に画像処理部１４０、液晶制御部１５０、光源制御部１６０を制御する。これにより、記録媒体１９２に記録されている画像データを一覧するＧＵＩ（Ｇｒａｐｈｉｃａｌ  Ｕｓｅｒ  Ｉｎｔｅｒｆａｃｅ）が投影される。
【００４７】
次に、ユーザは、投影されたＧＵＩを見ながら、記録媒体１９２に記録された静止画像データや動画像データにそれぞれ対応する文字や画像を選択する操作を操作部１１３により行う。記録再生部１９１は、ＣＰＵ１１０の制御により、ユーザが選択した静止画像データや動画像データを記録媒体１９２から読み出す。ＣＰＵ１１０は、記録媒体１９２から読み出された静止画像データや動画像データを第２のメモリ１１２に一時的に記憶させ、第１のメモリ１１１に記憶されたプログラムに基づいて、静止画像データや動画像データの画像を再生する。
【００４８】
ユーザが動画像データを選択した場合、ＣＰＵ１１０は、動画像データを構成する各フレーム画像を順次、画像処理部１４０に送信し、上述した投影処理（Ｓ２３０）と同様に画像処理部１４０、液晶制御部１５０、光源制御部１６０を制御する。
ユーザが静止画像データを選択した場合、ＣＰＵ１１０は、静止画像データを画像処理部１４０に送信し、上述した投影処理（Ｓ２３０）と同様に画像処理部１４０、液晶制御
部１５０、光源制御部１６０を制御する。
【００４９】
Ｓ２１０において、表示モードが「ファイル受信表示モード」である場合、ＣＰＵ１１０は、通信部１９３から受信した静止画像データや動画像データを第２のメモリ１１２に一時的に記憶する。そして、ＣＰＵ１１０は、第１のメモリ１１１記憶されたプログラムに基づいて、静止画像データや動画像データの画像を再生する。
【００５０】
動画像データを受信した場合、ＣＰＵ１１０は、動画像データを構成する各フレーム画像を順次、画像処理部１４０に送信し、上述した投影処理（Ｓ２３０）と同様に画像処理部１４０、液晶制御部１５０、光源制御部１６０を制御する。
静止画像データを受信した場合、ＣＰＵ１１０は、静止画像データを画像処理部１４０に送信し、上述した投影処理（Ｓ２３０）と同様に画像処理部１４０、液晶制御部１５０、光源制御部１６０を制御する。
【００５１】
実施形態１では、表示装置１００がＳｉｎｇｌｅ／Ｄｕａｌ自動判定モードを有する場合を説明する。
Ｓｉｎｇｌｅ／Ｄｕａｌ自動判定モードがＯＮである場合、表示装置１００は、ＤＶＩ−Ｄ端子に入力された画像信号がＳｉｎｇｌｅ  Ｌｉｎｋ  ＤＶＩであるかＤｕａｌ  Ｌｉｎｋ  ＤＶＩであるかを自動的に判定することができる。そして、表示装置１００は、ＤＶＩ−Ｄ端子に入力された画像信号をＳｉｎｇｌｅ  Ｌｉｎｋ  ＤＶＩ又はＤｕａｌ  Ｌｉｎｋ  ＤＶＩとして処理することができる。
Ｓｉｎｇｌｅ／Ｄｕａｌ自動判定モードがＯＦＦである場合、表示装置１００は、ＤＶＩ−Ｄ端子に入力された画像信号がＳｉｎｇｌｅ  Ｌｉｎｋ  ＤＶＩであると自動的に判定する。そして、表示装置１００は、ＤＶＩ−Ｄ端子に入力された画像信号をＳｉｎｇｌｅ  Ｌｉｎｋ  ＤＶＩとして処理することができる。
【００５２】
Ｓｉｎｇｌｅ／Ｄｕａｌ自動判定モードをＯＮにするかＯＦＦにするかは、ユーザが操作部１１３により行う。なお、実施形態１では、ユーザの指示によりＳｉｎｇｌｅ／Ｄｕａｌ自動判定モードをＯＮするかＯＦＦにするかが選択される場合を説明するが、実施形態１はこのような構成に限られない。例えば、前回の電源オフ時に選択されていた状態（ＯＮまたはＯＦＦ）が自動的に選択されるようにしてもよい。或いは、例えば、所定の状態（ＯＮまたはＯＦＦ）が自動的に選択されるようにしてもよい。
【００５３】
画像入力部１３０は、ＤＶＩ−Ｄ端子を有する。ＤＶＩ−Ｄ端子から入力される画像信号にはＳｉｎｇｌｅ  Ｌｉｎｋ  ＤＶＩとＤｕａｌ  Ｌｉｎｋ  ＤＶＩの２種類があり（図３Ａ、図３Ｂ参照）、画像入力部１３０はどちらの種類のＤＶＩ信号も受信することができる。なお、ＤＶＩ−Ｄ信号では伝送ＣｌｏｃｋであるＴＭＤＳ  ＣｌｏｃｋをＭａｓｔｅｒ  ＬｉｎｋとＳｌａｖｅ  Ｌｉｎｋで共有している。
【００５４】
外部装置３００、中継装置４００及び表示装置１００の接続形態の一例を図４（ｂ）に示す。外部装置３００は画像信号源であり、中継装置４００は分配器又は延長器を含み、表示装置１００は画像信号に基づく画像をスクリーンに投影する投影装置である。外部装置３００と中継装置４００とはＤＶＩ−Ｄケーブルで接続され、中継装置４００と表示装置１００もＤＶＩ−Ｄケーブルで接続されている。なお、図中のＤＶＩ−Ｄ端子は画像入力部１３０に含まれる。
【００５５】
中継装置４００を説明する。中継装置４００は、外部装置３００からの画像信号と同じ画像信号を複数出力する分配器や、ＤＶＩ−Ｄケーブルのケーブル長を伸ばすための延長器である。ここでは、このような中継装置４００により、伝送する画像信号にノイズが重畳されることを想定して説明する。外部装置３００から出力されるＤＶＩ−Ｄ信号がＤｕ
ａｌ  Ｌｉｎｋ  ＤＶＩ信号である場合、画像データは、ＴＭＤＳの差動信号線の６ペア（Ｄａｔａ  Ｃｈ＃０−＃５／  Ｍａｓｔｅｒ  Ｌｉｎｋと  Ｓｌａｖｅ  Ｌｉｎｋ）にシリアライズされて伝送される。中継装置４００から出力される信号波形は、中継装置４００に入力された信号波形とほぼ同じである（図５Ｃ参照）。なお、振幅方向に信号補正が行われる場合もあるが、ここでは簡単のため、信号波形は中継装置４００の入出力で同じであるとする。
【００５６】
それに対して、外部装置３００から出力されるＤＶＩ−Ｄ信号がＳｉｎｇｌｅ  Ｌｉｎｋ  ＤＶＩ信号である場合、画像データは、ＴＭＤＳの差動信号線の３ペア（Ｄａｔａ  Ｃｈ＃０−＃２／  Ｍａｓｔｅｒ  Ｌｉｎｋ）だけにシリアライズされて伝送される。この場合、Ｓｌａｖｅ  Ｌｉｎｋでは画像データは伝送されない。図５Ｄに示すように、中継装置４００によってＳｌａｖｅ  Ｌｉｎｋにノイズが重畳されて出力されると、中継装置４００からのＳｌａｖｅ  Ｌｉｎｋの出力は正しくないデータとなる。なお、Ｍａｓｔｅｒ  Ｌｉｎｋのデータは図５Ｃと同様に中継装置４００の入出力でほぼ同じであるとする。
【００５７】
画像入力部１３０は、入力信号の有無を判定する機能と、Ｍａｓｔｅｒ  ＬｉｎｋのＴＭＤＳ信号が入力されているか否かを判定する機能と、Ｓｌａｖｅ  ＬｉｎｋのＴＭＤＳが入力されているか否かを判定する機能とを有する。図４（ａ）で示すように中継装置４００を介さずに外部装置３００と表示装置１００が直接接続されている場合、中継装置４００によるノイズの重畳がない。この場合、画像入力部１３０は、「入力信号があり」かつ「Ｍａｓｔｅｒ  Ｌｉｎｋのみが信号あり」であれば入力信号はＳｉｎｇｌｅ  Ｌｉｎｋ  ＤＶＩであると判定することができる。また、「入力信号があり」かつ「Ｍａｓｔｅｒ  ＬｉｎｋとＳｌａｖｅ  Ｌｉｎｋの両方が信号あり」であれば入力信号はＤｕａｌ  Ｌｉｎｋ  ＤＶＩであると判定できる。しかしながら、図４（ｂ）のように中継装置４００を挟む場合、外部装置３００の出力信号がＳｉｎｇｌｅ  Ｌｉｎｋ  ＤＶＩであっても、中継装置４００でのノイズの重畳により表示装置１００へ入力するＳｌａｖｅ  Ｌｉｎｋが正しくない信号となる。この場合、正確にフォーマット判定できない可能性がある。
【００５８】
以下、図６を用いて、外部装置３００からの出力信号が中継装置４００を介して表示装置１００に入力する場合に行われる画像フォーマット判定処理を説明する。
【００５９】
図６は、表示装置１００においてＤＶＩ−Ｄ端子から入力される画像信号がＳｉｎｇｌｅ  Ｌｉｎｋ  ＤＶＩとＤｕａｌ  Ｌｉｎｋ  ＤＶＩのどちらか判定する処理を示すフローチャートである。このフローチャートの処理は、ＣＰＵ１１０が、第１のメモリ１１１に記憶されたプログラムに基づいて、各構成要素を制御することにより実行される。ＣＰＵ１１０は、図２のフローチャートのＳ２２０において、画像信号が入力されるＩＦとしてＤＶＩ−Ｄ端子が選択されると、図６のフローチャートに示す処理をスタートさせる。画像信号は外部装置３００から出力されているものとする。
【００６０】
Ｓ３１０において、ＣＰＵ１１０は、ＤＶＩのＳｉｎｇｌｅ／Ｄｕａｌ自動判定モードがＯＮ／ＯＦＦかどうかを判定する。Ｓｉｎｇｌｅ／Ｄｕａｌ自動判定モードがＯＮでない場合（Ｓ３１０でＮｏ）、ＣＰＵ１１０は、Ｓ５００に進む。Ｓｉｎｇｌｅ／Ｄｕａｌ自動判定モードがＯＮである場合（Ｓ３１０でＹｅｓ）、ＣＰＵ１１０は、Ｓ３２０に進む。
【００６１】
Ｓ５００において、ＣＰＵ１１０は、入力されているＤＶＩ信号はＳｉｎｇｌｅ  Ｌｉｎｋ  ＤＶＩであると判定する。この場合、ＣＰＵ１１０は、入力されているＤＶＩ信号をＳｉｎｇｌｅ  Ｌｉｎｋ  ＤＶＩとして処理し、Ｓｌａｖｅ  Ｌｉｎｋ（第２リンク）に伝送されるデータは無視し、Ｍａｓｔｅｒ  Ｌｉｎｋ（第１リンク）のみで伝送される
画像信号に基づき画像を表示する。これを第１表示モードと呼ぶ。
【００６２】
Ｓ３２０において、ＣＰＵ１１０は、Ｓｌａｖｅ  Ｌｉｎｋが信号無しで安定しているかどうかを判定する。「安定」の定義は、例えばＳｌａｖｅ  Ｌｉｎｋの信号無し状態が所定時間続いた状態とする。所定時間は、安定状態を精度良く判定できる閾値であり、実験的又は経験的に定められ、例えば数１００ｍｓｅｃから数秒の値である。なお、安定状態の定義はこの限りではなく、安定状態を判定できる種々の方法を用いることができる。Ｓｌａｖｅ  Ｌｉｎｋが信号無しで安定している場合（Ｓ３２０でＹｅｓ）、ＣＰＵ１１０は、Ｓ５１０に進む。Ｓｌａｖｅ  Ｌｉｎｋが信号無しで安定していない場合（Ｓ３２０でＮｏ）、ＣＰＵ１１０は、Ｓ３３０に進む。
【００６３】
Ｓ５１０において、ＣＰＵ１１０は、入力されているＤＶＩ−Ｄ信号はＳｉｎｇｌｅ  Ｌｉｎｋ  ＤＶＩであると判定する。この場合、ＣＰＵ１１０は、入力されているＤＶＩ信号をＳｉｎｇｌｅ  Ｌｉｎｋ  ＤＶＩとして処理し、Ｓｌａｖｅ  Ｌｉｎｋ（第２リンク）に伝送されるデータは無視し、Ｍａｓｔｅｒ  Ｌｉｎｋ（第１リンク）のみで伝送される画像信号に基づき画像を表示する。これもＳ５００と同様、第１表示モードであり、Ｓｌａｖｅ  Ｌｉｎｋで伝送される信号がないと判定された場合には第１表示モードで表示が行われる。
【００６４】
Ｓ３３０において、ＣＰＵ１１０は、Ｓｌａｖｅ  Ｌｉｎｋ（第２リンク）が信号ありで安定しているかどうかを判定する。この処理は、入力画像信号に第２リンクで伝送される信号があるか判定する第１判定処理である。ここでは、画像入力部１３０により所定時間にわたって連続的にＳｌａｖｅ  Ｌｉｎｋで伝送される信号が受信された場合に、Ｓｌａｖｅ  Ｌｉｎｋで伝送される信号があると判定される。「安定」の定義は、Ｓ３２０の判定と同様であり、例えばＳｌａｖｅ  Ｌｉｎｋの信号あり状態が所定時間続いた状態とする。Ｓｌａｖｅ  Ｌｉｎｋが信号ありで安定していない場合（Ｓ３３０でＮｏ）、ＣＰＵ１１０は、Ｓ５００に進み、表示装置１００に入力されているＤＶＩ信号をＳｉｎｇｌｅ  Ｌｉｎｋ  ＤＶＩとして処理する。
一方、Ｓｌａｖｅ  Ｌｉｎｋが信号ありで安定している場合（Ｓ３３０でＹｅｓ）、ＣＰＵ１１０は、Ｓ３４０に進む。
【００６５】
Ｓ３４０において、ＣＰＵ１１０は、ＴＭＤＳ  Ｃｌｏｃｋ周波数を取得する。Ｓ３４０の処理は、画像入力部１３０に入力するＤＶＩの画像信号のクロック信号の周波数を取得する第１取得処理である。
Ｓ３５０において、ＣＰＵ１１０は、Ｓ３４０で取得したＴＭＤＳ  Ｃｌｏｃｋ周波数が、画像入力部１３０が有するＤＶＩ−Ｄ受信部の受信限界周波数の１／２未満かどうかを判定する。
【００６６】
よって、ＴＭＤＳ  Ｃｌｏｃｋ周波数がＤＶＩ−Ｄ受信部の受信限界周波数の１／２以上である場合（Ｓ３５０でＮｏ）、信号はＳｉｎｇｌｅ  Ｌｉｎｋ  ＤＶＩと考えるのが合理的である。この場合、ＣＰＵ１１０は、Ｓ５００に進み、表示装置１００に入力されているＤＶＩ信号をＳｉｎｇｌｅ  Ｌｉｎｋ  ＤＶＩとして処理する。一方、ＴＭＤＳ  Ｃｌｏｃｋ周波数がＤＶＩ−Ｄ受信部の受信限界周波数の１／２未満である場合（Ｓ３５０でＹｅｓ）、信号は正規のＤｕａｌ  Ｌｉｎｋ  ＤＶＩである可能性があるため、ＣＰＵ１１０は、Ｓ３６０に進む。Ｓ３５０の処理では、ＣＰＵ１１０は、第１取得処理により取得したクロック信号の周波数が、画像入力部１３０が受信可能な画像信号のピクセルクロック周波数の最大値の１／２より小さいか判定する。小さい場合、ＣＰＵ１１０は、Ｓｌａｖｅ  Ｌｉｎｋ（第２リンク）で伝送される信号は画像信号である（又はその可能性がある）と判定する。
【００６７】
Ｓ３６０において、ＣＰＵ１１０は、Ｓ３４０で取得したＴＭＤＳ  Ｃｌｏｃｋ周波数がＳｉｎｇｌｅ  Ｌｉｎｋ  ＤＶＩのＴＭＤＳ  Ｃｌｏｃｋ周波数の上限の１／２より大きいかどうかを判定する。なお、ＤＶＩ規格では、Ｐｉｘｅｌ  ＣｌｏｃｋがＳｉｎｇｌｅ  Ｌｉｎｋ  ＤＶＩのＴＭＤＳ  Ｃｌｏｃｋ周波数の上限（１６５ＭＨｚ）に達しない場合、Ｄｕａｌ  Ｌｉｎｋ  ＤＶＩではなくＳｉｎｇｌｅ  Ｌｉｎｋ  ＤＶＩを使用すべきことと規定されている。
【００６８】
よって、ＴＭＤＳ  Ｃｌｏｃｋ周波数がＳｉｎｇｌｅ  Ｌｉｎｋ  ＤＶＩのＴＭＤＳ  Ｃｌｏｃｋ周波数の上限の１／２以下である場合（Ｓ３６０でＮｏ）、信号は正規のＤｕａｌ  Ｌｉｎｋ  ＤＶＩではないと考えるのが合理的である。この場合、ＣＰＵ１１０は、Ｓ５００に進み、表示装置１００に入力されているＤＶＩ信号をＳｉｎｇｌｅ  Ｌｉｎｋ  ＤＶＩとして処理する。一方、ＴＭＤＳ  Ｃｌｏｃｋ周波数がＳｉｎｇｌｅ  Ｌｉｎｋ  ＤＶＩのＴＭＤＳ  Ｃｌｏｃｋ周波数の上限の１／２より大きい場合（Ｓ３６０でＹｅｓ）、信号は正規のＤｕａｌ  Ｌｉｎｋ  ＤＶＩである可能性があるため、ＣＰＵ１１０は、Ｓ３７０に進む。Ｓ３６０の処理では、ＣＰＵ１１０は、第１取得処理により取得したクロック信号の周波数が、Ｍａｓｔｅｒ  Ｌｉｎｋ（第１リンク）のみで画像信号を伝送する場合のクロック信号の周波数の上限値の１／２より大きいか判定する。大きい場合、ＣＰＵ１１０は、Ｓｌａｖｅ  Ｌｉｎｋ（第２リンク）で伝送される信号は画像信号である（又はその可能性がある）と判定する。
【００６９】
Ｓ３７０において、ＣＰＵ１１０は、入力画像信号の水平解像度と垂直解像度を取得する。ＣＰＵ１１０は、画像入力部１３０のＭａｓｔｅｒ  Ｌｉｎｋ受信部が取得した水平解像度を２倍した値を入力画像信号の水平解像度とする。この処理は、Ｓｌａｖｅ  Ｌｉｎｋ（第２リンク）で伝送される信号が画像信号であると仮定した場合のＭａｓｔｅｒ  Ｌｉｎｋ（第１リンク）及び第２リンクの両方で伝送される画像信号の水平解像度と垂直解像度を取得する第２取得処理である。Ｓｌａｖｅ  Ｌｉｎｋ（第２リンク）で伝送される信号が画像信号であると仮定した場合とは、Ｄｕａｌ  Ｌｉｎｋ  ＤＶＩであると仮定した場合ということである。
【００７０】
Ｓ３８０において、ＣＰＵ１１０は、Ｓ３７０で取得した水平解像度と垂直解像度の比を計算し、その値を所定の閾値と比較する。ここでは閾値を「２．５」とする。なお、この閾値は、表示装置１００がサポートするフォーマットリストに基づき設定される値である。例えば、表示装置１００がサポートするフォーマットのアスペクト比のうちの最大値に所定のマージンを加えた値として設定することができる。
【００７１】
よって、水平解像度と垂直解像度の比が閾値より大きい場合（Ｓ３８０でＮｏ）、信号は正規のＤｕａｌ  Ｌｉｎｋ  ＤＶＩではないと考えるのが合理的である。この場合、ＣＰＵ１１０は、Ｓ５００に進み、表示装置１００に入力されているＤＶＩ信号をＳｉｎｇｌｅ  Ｌｉｎｋ  ＤＶＩとして処理する。一方、水平解像度と垂直解像度の比が閾値以下である場合、ＣＰＵ１１０は、Ｓ５２０に進む。Ｓ３８０の処理では、ＣＰＵ１１０は、第２取得処理によって取得した水平解像度と垂直解像度との比が閾値以下である場合、Ｓｌａｖｅ  Ｌｉｎｋ（第２リンク）で伝送される信号は画像信号である（又はその可能性がある）と判定する。
【００７２】
Ｓ５２０において、ＣＰＵ１１０は、入力されているＤＶＩ信号はＤｕａｌ  Ｌｉｎｋ
ＤＶＩであると判定する。この場合、ＣＰＵ１１０は、Ｍａｓｔｅｒ  Ｌｉｎｋ（第１リンク）とＳｌａｖｅ  Ｌｉｎｋ（第２リンク）の両方で伝送される画像信号に基づき画像を表示する。これを第２表示モードと呼ぶ。例えば、ＣＰＵ１１０は、Ｍａｓｔｅｒ  ＬｉｎｋによりＥＶＥＮの画像データが伝送され、Ｓｌａｖｅ  ＬｉｎｋによりＯＤＤの画像データが伝送されているとして画像を復元する。
【００７３】
以上のフローチャートの処理により、表示装置１００は、入力されるＤＶＩ−Ｄ信号のＳｌａｖｅ  Ｌｉｎｋにノイズが重畳された場合でも、Ｓｉｎｇｌｅ  Ｌｉｎｋ  ＤＶＩとＤｕａｌ  Ｌｉｎｋ  ＤＶＩを精度良く判定することができる。特に、Ｓｌａｖｅ  Ｌｉｎｋの信号がノイズで安定しているのか、画像信号として安定しているのか判然としない状況においても、Ｓｉｎｇｌｅ  Ｌｉｎｋ  ＤＶＩとＤｕａｌ  Ｌｉｎｋ  ＤＶＩを精度良く判定することができる。そして、Ｓｌａｖｅ  Ｌｉｎｋで伝送される信号が画像信号であると判定された場合、Ｍａｓｔｅｒ  Ｌｉｎｋ及びＳｌａｖｅ  Ｌｉｎｋの両方で伝送される画像信号に基づき画像を表示する第２表示モードで表示が行われる。Ｓｌａｖｅ  Ｌｉｎｋで伝送される信号が画像信号でないと判定された場合、Ｍａｓｔｅｒ  Ｌｉｎｋのみで伝送される画像信号に基づき画像を表示する第１表示モードで表示が行われる。これにより、表示装置１００は、信号源からのＤＶＩ−Ｄ信号の伝送路にノイズを重畳する可能性がある中継装置がある場合でも、表示装置１００に入力された画像信号のフォーマットを正しく検出することができる。
【００７４】
なお、実施形態１では図６のフローチャートにおけるＳ３３０、Ｓ３５０、Ｓ３６０、Ｓ３８０の判定処理は、少なくともいずれかを実行すればよく、上記の説明のように必ずしも全てを実行しなくてもよい。ただし、いくつかの判定処理を省略した場合、Ｓｉｎｇｌｅ  ／  Ｄｕａｌ  Ｌｉｎｋ  ＤＶＩの判定精度が低下する可能性がある。  
【００７５】
［実施形態２］
図７を参照して、実施形態２における表示装置１００を説明する。
実施形態２において、実施形態１と同様の部分についてはその説明を省略し、実施形態１と異なる部分を中心に説明する。
図７のＳ３１０からＳ３８０の処理と図７のＳ５００からＳ５２０の処理とは、実施形態１で説明した処理と同じである。実施形態１との差異は、図７で示すように、Ｓ３８０で水平解像度と垂直解像度の比が閾値（「２．５」）以下である場合、ＣＰＵ１１０は、Ｓ３９０に進む点である。
【００７６】
Ｓ３９０において、ＣＰＵ１１０は、フォーマットテーブル１３１と、Ｓ３４０で取得したＴＭＤＳ  Ｃｌｏｃｋ周波数並びにＳ３７０で取得した水平解像度及び垂直解像度と、を比較する。フォーマットテーブル１３１に適合する信号がない場合（Ｓ３９０でＮｏ）、ＣＰＵ１１０は、Ｓ５００に進み、表示装置１００に入力されているＤＶＩ信号をＳｉｎｇｌｅ  Ｌｉｎｋ  ＤＶＩとして処理する。一方、フォーマットテーブル１３１に適合する信号がある場合（Ｓ３９０でＹｅｓ）、ＣＰＵ１１０は、Ｓ５２０に進み、入力されているＤＶＩ信号をＤｕａｌ  Ｌｉｎｋ  ＤＶＩとして処理する。実施形態２では、Ｓ３４０及びＳ３７０の処理は、Ｓｌａｖｅ  Ｌｉｎｋで伝送される信号が画像信号であると仮定した場合のＭａｓｔｅｒ  Ｌｉｎｋ及びＳｌａｖｅ  Ｌｉｎｋの両方で伝送される画像信号のパラメータの値を取得する第３取得処理である。Ｓ３９０では、ＣＰＵ１１０は、フォーマットテーブル１３１に記憶された画像信号のパラメータの値と、第３取得処理により取得した画像信号のパラメータの値とが合致する場合に、Ｓｌａｖｅ  Ｌｉｎｋで伝送される信号は画像信号であると判定する。
【００７７】
ここでの「適合」の定義は、フォーマットテーブルに規定されたＴＭＤＳ  Ｃｌｏｃｋ周波数、水平解像度、及び垂直解像度の値に対し、測定したＴＭＤＳ  Ｃｌｏｃｋ周波数が±５％以内、測定した水平解像度と垂直解像度がそれぞれ±３％以内であることとする。適合していると判定する条件は一例でありこの限りではない。また、フォーマットテーブル１３１の情報と比較して適合の判定をするパラメータは、ＴＭＤＳ  Ｃｌｏｃｋ周波数、水平解像度、及び垂直解像度に限らない。フォーマットテーブル１３１に記憶されている水平同期信号周波数、垂直同期信号周波数、ピクセルクロック周波数等を対比させて
適合の判定をしてもよい。
【００７８】
実施形態２の表示装置１００は、入力されるＤＶＩ−Ｄ信号のＳｌａｖｅ  Ｌｉｎｋにノイズが重畳された場合でも、Ｓｉｎｇｌｅ  Ｌｉｎｋ  ＤＶＩとＤｕａｌ  Ｌｉｎｋ  ＤＶＩを精度良く判定することができる。これにより、実施形態２の表示装置１００は、信号源からのＤＶＩ−Ｄ信号の伝送路にノイズを重畳する可能性がある中継装置がある場合でも、表示装置１００に入力された画像信号のフォーマットを正しく検出することができる。
【００７９】
なお、実施形態２では図６のフローチャートにおけるＳ３３０、Ｓ３５０、Ｓ３６０、Ｓ３８０の判定処理は、少なくともいずれかを実行すればよく、上記の説明のように必ずしも全てを実行しなくてもよい。ただし、いくつかの判定処理を省略した場合、Ｓｉｎｇｌｅ  ／  Ｄｕａｌ  Ｌｉｎｋ  ＤＶＩの判定精度が低下する可能性がある。
【００８０】
［実施形態３］
図８Ｂ及び図９を参照して、実施形態３における表示装置１００を説明する。
実施形態３において、実施形態１と同様の部分についてはその説明を省略し、実施形態１と異なる部分を中心に説明する。
実施形態１では、図８Ａで示すように、水平解像度及び垂直解像度を測定するＤＥ測定回路がＭａｓｔｅｒ  Ｌｉｎｋ受信部に搭載されている場合を説明した。実施形態３では、図８Ｂで示すように、ＤＥ測定回路がＭａｓｔｅｒ  Ｌｉｎｋ受信部とＳｌａｖｅ  Ｌｉｎｋ受信部の両方に搭載されている場合を説明する。
【００８１】
以下、図９を用いて、外部装置３００からの出力信号が中継装置４００を介して表示装置１００に入力する場合に適用して好適な画像フォーマットの判定処理を説明する。
図９は、実施形態３の表示装置１００においてＤＶＩ−Ｄ端子から入力される画像信号がＳｉｎｇｌｅ  Ｌｉｎｋ  ＤＶＩとＤｕａｌ  Ｌｉｎｋ  ＤＶＩのいずれであるか判定する処理を説明するためのフローチャートである。このフローチャートの処理は、ＣＰＵ１１０が、第１のメモリ１１１に記憶されたプログラムに基づいて、各構成要素を制御することにより実行される。ＣＰＵ１１０は、図２のフローチャートのＳ２２０において、画像信号が入力されるＩＦとしてＤＶＩ−Ｄ端子が選択されると、図９のフローチャートに示す処理をスタートさせる。画像信号は外部装置３００から出力されているものとする。
【００８２】
Ｓ６１０において、ＣＰＵ１１０は、Ｓｌａｖｅ  Ｌｉｎｋが信号無しで安定しているかどうかを判定する。Ｓｌａｖｅ  Ｌｉｎｋが信号無しで安定している場合（Ｓ６１０でＹｅｓ）、ＣＰＵ１１０は、Ｓ５１０に進み、入力されているＤＶＩ−Ｄ信号をＳｉｎｇｌｅ  Ｌｉｎｋ  ＤＶＩとして処理する。ここでの「安定」の定義は、Ｓ３２０で説明したものと同様である。一方、Ｓｌａｖｅ  Ｌｉｎｋが信号無しで安定していない場合（Ｓ６１０でＮｏ）、ＣＰＵ１１０は、Ｓ６２０に進む。
【００８３】
Ｓ６２０において、ＣＰＵ１１０は、Ｍａｓｔｅｒ  Ｌｉｎｋ受信部及びＳｌａｖｅ  Ｌｉｎｋ受信部から水平解像度及び垂直解像度を取得する。Ｓ６２０の処理は、Ｍａｓｔｅｒ  Ｌｉｎｋ（第１リンク）で伝送される画像信号のパラメータの値と、Ｓｌａｖｅ  Ｌｉｎｋ（第２リンク）で伝送される信号が画像信号であると仮定した場合の当該画像信号のパラメータの値と、を取得する第４取得処理である。ここでは、パラメータの値として、水平解像度及び垂直解像度の値を取得する場合を例に説明するが、パラメータの値は画像有効期間、ピクセルクロック周波数、ＴＭＤＳ  Ｃｌｏｃｋ周波数等でもよい。
【００８４】
Ｓ６３０において、ＣＰＵ１１０は、Ｓ６２０においてＭａｓｔｅｒ  Ｌｉｎｋ受信部
で測定した水平解像度とＳｌａｖｅ  Ｌｉｎｋ受信部で測定した水平解像度との差分が所定の閾値以内かどうか判定する。閾値は経験的に決定されるもので、例えば±３とする。閾値はこの限りではない。
【００８５】
よって、水平解像度の差分が閾値以内である場合（Ｓ６３０でＹｅｓ）、ＣＰＵ１１０は、Ｓ５２０に進み、入力されているＤＶＩ−Ｄ信号をＤｕａｌ  Ｌｉｎｋ  ＤＶＩとして処理する。一方、水平解像度の差分が閾値より大きい場合（Ｓ６３０でＮｏ）、ＣＰＵ１１０は、Ｓ５００に進み、入力されているＤＶＩ−Ｄ信号をＳｉｎｇｌｅ  Ｌｉｎｋ  ＤＶＩとして処理する。Ｓ６３０では、ＣＰＵ１１０は、第４取得処理により取得したＭａｓｔｅｒ  Ｌｉｎｋで伝送される画像信号のパラメータの値と、Ｓｌａｖｅ  Ｌｉｎｋで伝送される信号が画像信号であると仮定した場合の当該画像信号のパラメータの値とを比較する。これらのパラメータの値の差異が閾値以下である場合に、ＣＰＵ１１０は、Ｓｌａｖｅ  Ｌｉｎｋで伝送される信号は画像信号であると判定している。
【００８６】
実施形態３の表示装置１００は、入力されるＤＶＩ−Ｄ信号のＳｌａｖｅ  Ｌｉｎｋにノイズが重畳された場合でも、Ｓｉｎｇｌｅ  Ｌｉｎｋ  ＤＶＩとＤｕａｌ  Ｌｉｎｋ  ＤＶＩを精度良く判定することができる。これにより、実施形態３の表示装置１００は、信号源からのＤＶＩ−Ｄ信号の伝送路にノイズを重畳する可能性がある中継装置がある場合でも、表示装置１００に入力された画像信号のフォーマットを正しく検出することができる。
【００８７】
［実施形態４］
実施形態１〜３で説明した様々な機能、処理及び方法は、パーソナルコンピュータ、マイクロコンピュータ、ＣＰＵ（Ｃｅｎｔｒａｌ  Ｐｒｏｃｅｓｓｉｎｇ  Ｕｎｉｔ）などがプログラムを用いて実現することもできる。以下、実施形態４では、パーソナルコンピュータ、マイクロコンピュータ、ＣＰＵなどを「コンピュータＸ」と呼ぶ。また、実施形態４では、コンピュータＸを制御するためのプログラムであって、実施形態１〜３で説明した様々な機能、処理及び方法を実現するためのプログラムを「プログラムＹ」と呼ぶ。
実施形態１〜３で説明した様々な機能、処理及び方法は、コンピュータＸがプログラムＹを実行することによって実現される。この場合において、プログラムＹは、コンピュータ読み取り可能な記憶媒体を介してコンピュータＸに供給される。実施形態４におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態４におけるコンピュータ読み取り可能な記憶媒体は、ｎｏｎ−ｔｒａｎｓｉｔｏｒｙ（非一時的）な記憶媒体である。
【符号の説明】
【００８８】
表示装置：１００、ＣＰＵ：１１０、画像入力部：１３１、画像処理部：１４０、液晶制御部：１５０、液晶素子：１５１
【図１】
2017044998.tif 000003
【図２】
2017044998.tif 000004
【図３Ａ】
2017044998.tif 000005
【図３Ｂ】
2017044998.tif 000006
【図４】
2017044998.tif 000007
【図５Ａ】
2017044998.tif 000008
【図５Ｂ】
2017044998.tif 000009
【図５Ｃ】
2017044998.tif 000010
【図５Ｄ】
2017044998.tif 000011
【図６】
2017044998.tif 000012
【図７】
2017044998.tif 000013
【図８Ａ】
2017044998.tif 000014
【図８Ｂ】
2017044998.tif 000015
【図９】
2017044998.tif 000016